(57)【要約】【課題】インパルス電圧を印加して得られる応答電圧に基づいて、より高い判定精度でコイルの良否を診断する。【解決手段】コイルの診断装置は、コイルにインパルス電圧を印加する電圧印加部と、インパルス電圧に対するコイルからの応答電圧ｖ（ｔ）を検出する応答電圧検出部と、応答電圧を微分して微分電圧を演算すると共に応答電圧を積分して積分電圧を演算する信号処理部と、応答電圧と微分電圧と積分電圧とに基づいてコイルの電気的特徴を示す判定指標Ｘを演算する指標演算部と、診断対象のコイルである対象コイルの判定指標Ｘに基づいて対象コイルに異常があるか否かを判定する判定部とを備える。【選択図】図５
2019045276.tif 000002
【特許請求の範囲】
【請求項１】
コイルにインパルス電圧を印加する電圧印加部と、
前記インパルス電圧に対する前記コイルからの応答電圧を検出する応答電圧検出部と、
前記応答電圧を微分して微分電圧を演算すると共に前記応答電圧を積分して積分電圧を演算する信号処理部と、
前記応答電圧と前記微分電圧と前記積分電圧とに基づいて前記コイルの電気的特徴を示す判定指標を演算する指標演算部と、
診断対象の前記コイルである対象コイルの前記判定指標に基づいて前記対象コイルに異常があるか否かを判定する判定部と、を備えるコイルの診断装置。
【請求項２】
前記判定部は、前記対象コイルの前記判定指標と、正常な前記コイルである基準コイルの前記判定指標との比較に基づいて判定する請求項１に記載のコイルの診断装置。
【請求項３】
前記信号処理部は、前記応答電圧が振幅中心と交わる第１ゼロクロス点以降のデータに基づいて前記微分電圧及び前記積分電圧を演算し、
前記指標演算部は、前記第１ゼロクロス点以降の前記応答電圧と前記微分電圧と前記積分電圧とに基づいて前記判定指標を演算する請求項１又は２に記載のコイルの診断装置。
【請求項４】
前記信号処理部は、前記第１ゼロクロス点の次の正側又は負側のピーク点以降のデータに基づいて前記微分電圧及び前記積分電圧を演算し、
前記指標演算部は、当該ピーク点以降の前記応答電圧と前記微分電圧と前記積分電圧とに基づいて前記判定指標を演算する請求項３に記載のコイルの診断装置。
【請求項５】
前記対象コイルの異常は、当該対象コイルを構成する導体間の絶縁不良を含む請求項１から４の何れか一項に記載のコイルの診断装置。
【発明の詳細な説明】
【技術分野】
【０００１】
本発明は、コイルに異常があるか否かを診断するコイルの診断装置に関する。
【背景技術】
【０００２】
回転電機や変圧器等のコイルにインパルス電圧を印加して、その応答電圧を観測して当該コイルの良否を診断する技術が知られている。例えば、特開２０１２−２４２３７７号公報には、応答電圧と、応答電圧を微分した微分電圧と、さらにその微分電圧を微分した二階微分電圧（二次導関数）とに基づいて、コイルの特徴量（ＬＣ及びＲＣ）を求めて、良否を診断している。ここで、ＬＣはインダクタンスとキャパシタンスとの積、ＲＣはレジスタンス（抵抗成分）とキャパシタンスとの積である（［００１４］〜［００１５］等）。
【０００３】
しかし、二階微分電圧は、応答電圧に含まれるノイズも先鋭化されるため、ノイズ成分を多く含んだものとなる。このノイズ成分は、コイルの特徴量の導出にも影響するため、コイルの良否の判定精度が低下する可能性がある。
【先行技術文献】
【特許文献】
【０００４】
【特許文献１】特開２０１２−２４２３７７号公報
【発明の概要】
【発明が解決しようとする課題】
【０００５】
上記背景に鑑みて、インパルス電圧を印加して得られる応答電圧に基づいて、より高い判定精度でコイルの良否を診断する技術の提供が望まれる。
【課題を解決するための手段】
【０００６】
１つの態様として、上記に鑑みたコイルの診断装置は、
コイルにインパルス電圧を印加する電圧印加部と、
前記インパルス電圧に対する前記コイルからの応答電圧を検出する応答電圧検出部と、
前記応答電圧を微分して微分電圧を演算すると共に前記応答電圧を積分して積分電圧を演算する信号処理部と、
前記応答電圧と前記微分電圧と前記積分電圧とに基づいて前記コイルの電気的特徴を示す判定指標を演算する指標演算部と、
診断対象の前記コイルである対象コイルの前記判定指標に基づいて前記対象コイルに異常があるか否かを判定する判定部と、を備える。
【０００７】
応答電圧と微分電圧と二階微分電圧とに基づいてコイルの電気的特徴を示す判定指標を演算して、対象コイルの良否を判定する方法が知られている。しかし、微分の階数が増えることによって周波数の高いノイズ成分もより先鋭化されるため、判定指標の精度が低下し、コイルの良否判定の精度も低下する可能性がある。本構成では、応答電圧と微分電圧と積分電圧とに基づいて判定指標が演算される。３つの電圧の階数の離間数は、応答電圧と微分電圧と二階微分電圧とを用いる場合も、応答電圧と微分電圧と積分電圧とを用いる場合も、“２”である。つまり、応答電圧と微分電圧と積分電圧とを用いる場合、積分電圧から見て微分電圧は二次導関数に当たる。従って、応答電圧と微分電圧と積分電圧とに基づいて適切に判定指標を演算することができる。この場合には、応答電圧から見た微分は一次導関数で留まり、微分の階数の増加に伴うノイズ成分の先鋭化も抑制されるため、判定指標の精度の低下も抑制できる。その結果、判定指標に基づく対象コイルの良否の判定精度を向上させることができる。つまり、本構成によれば、インパルス電圧を印加して得られる応答電圧に基づいて、より高い判定精度でコイルの良否を診断することができる。
【０００８】
コイルの診断装置のさらなる特徴と利点は、図面を参照して説明する実施形態についての以下の記載から明確となる。
【図面の簡単な説明】
【０００９】
【図１】コイルを使用する回転電機のステータの一例を示す斜視図
【図２】インパルス試験によるコイルの診断装置の一例を示すブロック図
【図３】インパルス試験における等価回路図
【図４】応答電圧及び応答電圧のサンプリング原理を示す波形図
【図５】応答電圧・微分電圧・積分電圧による判定指標演算原理を示す説明図
【図６】応答電圧・微分電圧・二階微分電圧による判定指標演算原理を示す説明図
【図７】良品と不良品との判別原理を示す説明図
【図８】応答電圧の一例を示す波形図
【図９】良品の応答電圧と不良品の応答電圧との違いを示す波形図
【発明を実施するための形態】
【００１０】
以下、回転電機や変圧器のコイルの診断装置の実施形態を図面に基づいて説明する。ここでは、図１に示すような、回転電機のステータ１００に巻装されるコイル３０の良否を診断する診断装置１を例示する。ステータ１００は、図１に示すように、コア２０とコア２０に巻装されるコイル３０とを備える。本実施形態では、ステータ１００は、三相交流により回転磁界を発生させるものであり、Ｕ相、Ｖ相、Ｗ相に対応する三相コイルを備えている。各相のコイル３０は、中性点Ｎ（Ｎ１，Ｎ２）において電気的に接続されている。コア２０は、磁性体材料を用いて形成されている。コア２０には、軸方向ＡＤ及び径方向ＲＤの内側に開口部を有するスロット４０が周方向ＣＤに沿って一定間隔で複数形成されている。Ｕ相用のスロット４０、Ｖ相用のスロット４０、Ｗ相用のスロット４０は、周方向ＣＤに沿って繰り返し現れるように配置されている。
【００１１】
コイル３０は、銅やアルミニウムなどの導電性を有する線状導体３５を用いて構成されており、線状導体３５の表面には樹脂等の電気的絶縁性を有する材料による絶縁被膜が形成されている。本実施形態では、延在方向に直交する方向での断面が矩形状である平角線の線状導体３５により形成されるコイル３０を例示している。
【００１２】
絶縁被膜が充分でなかったり、傷等によって絶縁被膜が劣化したりするとコイル３０を形成する線状導体３５の絶縁性が低下する。その結果、隣接する線状導体３５同士が短絡したり、線状導体３５とグラウンドとが短絡（地絡）したりする可能性が生じる。診断装置１は、短絡や地絡に繋がるような絶縁不良をコイル３０の異常として検出し、コイル３０の良否を診断する。コイル３０が断線したり、導体同士が短絡したり、導体が地絡したりした場合には、コイル３０の電気的な特性が大きく変動する。しかし、絶縁不良の場合は、例えば隣接する線状導体３５の間の抵抗値には変動が生じるが、コイル３０の電気的な特性の変動としては目立つものではなく、その検出が容易ではない。そこで、大電圧のインパルス電圧をコイル３０に印加することによって生じる応答電圧に基づいて、絶縁不良の有無が判定される。
【００１３】
図２は、コイル３０をインパルス試験により診断する診断装置１のシステム構成を示しており、図３は、インパルス試験における等価回路を示している。診断装置１は、図２に示すように、電圧印加部２と、応答電圧検出部（Ｖ−ＤＴＣＴ）３と、信号処理部（ＳＩＧ−ＰＲ）４と、特徴量演算部（ＦＴ−ＣＡＬ）５と、判定部（ＣＯＭＰ）６とを有している。
【００１４】
電圧印加部２は、コイル３０にインパルス電圧を印加する機能部であり、直流電源２ａ、電流制限抵抗２ｂ、コンデンサ２ｃ、充放電スイッチ２ｄを有している。コンデンサ２ｃには、充放電スイッチ２ｄ及び電流制限抵抗２ｂを介して直流電源２ａに接続されている状態で、電荷がチャージされる。ここで、充放電スイッチ２ｄを介してコンデンサ２ｃとコイル３０とを電気的に接続すると、コンデンサ２ｃにチャージされた電荷が充放電スイッチ２ｄを介して一気にコイル３０に放電され、コイル３０にインパルス電圧が印加される。
【００１５】
応答電圧検出部３は、インパルス電圧に対するコイル３０からの応答電圧を検出する。応答電圧検出部３は、図４に示すように、所定のサンプリング間隔で時刻ｔにおける応答電圧ｖ（ｔ）を取得する。本実施形態では、応答電圧検出部３は、応答電圧をアナログ−デジタル変換して取得するＡ／Ｄコンバータを中核として構成されている。
【００１６】
信号処理部４は、図５を参照して後述するように、応答電圧を微分して微分電圧を演算すると共に応答電圧を積分して積分電圧を演算する。本実施形態では、応答電圧検出部３が取得したそれぞれの時刻ｔにおける応答電圧ｖ（ｔ）を微分及び積分することによって微分電圧及び積分電圧が演算される。本実施形態では、信号処理部４は、マイクロコンピュータやＤＳＰ（Digital Signal Processor）等のプロセッサを中核として構成されている。
【００１７】
特徴量演算部５は、応答電圧と微分電圧と積分電圧とに基づいてコイル３０の電気的特徴を示す判定指標（特徴量）を演算する。特徴量演算部５も、マイクロコンピュータやＤＳＰ等のプロセッサを中核として構成されている。図３の等価回路に示すように、コイル３０は、インダクタタンスＬとレジスタンス（抵抗成分）Ｒとの直列回路として示すことができる。ここで、コイル３０の線間容量をＣとすると、インダクタンスとキャパシタンスとの積ＬＣ、及び、レジスタンス（抵抗成分）とキャパシタンスとの積ＲＣをコイル３０の電気的特徴を示す特徴量とすることができる。これらの特徴量“ＬＣ”及び“ＲＣ”は、判定部６がコイル３０の良否を判定するための判定指標である。従って、特徴量演算部５は、指標演算部と称することができる。
【００１８】
判定部６は、診断対象のコイル３０である対象コイルの特徴量（判定指標）に基づいて対象コイルに異常があるか否かを判定する。判定部６も、マイクロコンピュータやＤＳＰ等のプロセッサを中核として構成されている。当然ながら、応答電圧検出部３、信号処理部４、特徴量演算部５、判定部６が、例えばＡ／Ｄコンバータを内蔵した１つのプロセッサチップによって構成されていてもよい。例えば、判定部６は、対象コイルの特徴量（判定指標）と、正常なコイル３０である基準コイルの特徴量（判定指標）との比較に基づいて対象コイルの良否を判定する。
【００１９】
図５に示すように、応答電圧検出部３は、時刻ｔ＝０〜ｎ（ｎ：任意の自然数）の期間にわたって、時刻ｔにおける応答電圧ｖ（ｔ）を取得する。当然ながらサンプリング間隔が短い方が、応答電圧の時間的な分解能が高くなって好適である。また、Ａ／Ｄコンバータの分解能が高い方が、応答電圧の電圧分解能が高くなって好適である。但し、分解能が高ければデータ容量も大きくなるので、メモリなどのストレージ素子或いはストレージ装置は充分な容量が確保されていることが好ましい。このようなストレージ素子或いはストレージ装置も応答電圧検出部３に含まれる。
【００２０】
また、応答電圧検出部３は、特徴量の演算に用いる応答電圧の範囲“Ｔ”を設定する。図８の波形図は、応答電圧の一例を示しているが、初期には応答電圧波形に歪みが観測される。上述したように、電圧印加部２は、コンデンサ２ｃに溜めた電荷を充放電スイッチ２ｄを介して一気にコイル３０に放電することによって、インパルス電圧を印加する。この際、充放電スイッチ２ｄには一時に大電流が流れる。このため、多くの場合、充放電スイッチ２ｄは複数のスイッチ素子を並列接続することによって構成されている。複数のスイッチ素子の切換わりには微小な時間差が生じることがあるため、応答電圧の初期は波形が乱れることが多い。従って、コイル３０の良否を判定するためのデータにはこの初期の応答電圧を含まないことが好ましい。また、ストレージ素子及びストレージ装置の容量は有限である。従って、応答電圧検出部３は、図５に示すように、特徴量の演算に用いる応答電圧の範囲“Ｔ”を時刻ｔ（ｊ）〜時刻ｔ（ｋ）に設定する（ｊ，ｋ：ｎ以下の自然数。）。
【００２１】
このように有効なデータの範囲“Ｔ”が設定された応答電圧は、図５に示すように、｛ｖ（ｊ）、ｖ（ｊ＋１）、ｖ（ｊ＋２）、・・・、ｖ（ｋ）｝を要素とする行列として表すことができる。信号処理部４は、応答電圧を微分及び積分することによって、微分電圧及び積分電圧を算出する。応答電圧と同様に、微分電圧及び積分電圧も時刻ｔ＝ｊから時刻ｔ＝ｋの範囲の各時刻ｔにおける微分値及び積分値を要素する行列として表すことができる。
【００２２】
応答電圧、微分電圧、積分電圧、及び特徴量（ＬＣ，ＲＣ）は、図５に示すような行列式として表すことができる。ここで、応答電圧と微分電圧とを含む行列を“Ｄ”、特徴量（ＬＣ，ＲＣ）の行列を“Ｘ”、積分電圧の行列を“Ｅ”とすると、行列式は、下記式(1)で表すことができる。
【００２３】
Ｄ・Ｘ＝−Ｅ  ・・・(1)
【００２４】
式(1)から特徴量である“Ｘ”を求めるために、式(1)の両辺に“Ｄ”の転置行列ＤＴを乗ずると、式(2)となる。
【００２５】
ＤＴ・Ｄ・Ｘ＝−ＤＴ・Ｅ  ・・・(2)
【００２６】
さらに、式(2)の左辺において“Ｘ”だけが残るように、式(2)の両辺に逆行列を乗ずると、式(3)を経て式(4)となる。尚、“ＤＴ・Ｄ”の行数及び列数の関係より逆行列が作れない場合には疑似逆行列を用いると好適である。
【００２７】
（ＤＴ・Ｄ）−１・ＤＴ・Ｄ・Ｘ＝−（ＤＴ・Ｄ）−１・ＤＴ・Ｅ  ・・・(3)
Ｘ＝−（ＤＴ・Ｄ）−１・ＤＴ・Ｅ  ・・・(4)
【００２８】
“Ｘ”は、上述したように特徴量（ＬＣ，ＲＣ）の行列である。従って、式(4)の右辺を演算することによって、特徴量（ＬＣ，ＲＣ）を導出することができる。つまり、図５に示すような手順に沿って、取得した応答電圧から特徴量（ＬＣ，ＲＣ）を導出することができる。
【００２９】
良品と不良品（絶縁不良箇所を有するコイル３０）との違いは、例えば、絶縁不良の場所や程度によって、特徴量（ＬＣ，ＲＣ）の各要素を軸とする二次元空間において区別することができる。つまり、当該二次元空間において、良品と不良品とを判定することができる。このような判定方法については、本明細書の背景技術の説明において提示した特開２０１２−２４２３７７号公報にも開示されているとおり公知であるので、詳細な説明は省略する。
【００３０】
また、判定部６は、良品（基準コイル）のクラスター（群）の特徴と、診断対象のコイル（対象コイル）のクラスターの特徴とを比較してもよい（相対識別）。例えば、判定部６は、距離（distance）や類似度（association）という定量値を求めて、判定してもよい。例えば、距離には、ユークリッド距離やマハラノビス距離を利用することができる。また、これらの他、カーネル密度関数法、１クラスＳＶＭ（Support Vector Machine）を用いて判定を行ってもよい。
【００３１】
ところで、特徴量（ＬＣ，ＲＣ）の導出は、図５を参照して上述したように、本実施形態では、応答電圧、微分電圧、積分電圧を用いる一方、図６の比較例に示すように、応答電圧、微分電圧、二階微分電圧を用いて導出することもできる。応答電圧の取得、及び特徴量の演算に用いる応答電圧の範囲“Ｔ”の設定については、図５と同様である。図５では、信号処理部４は、応答電圧を微分及び積分することによって、微分電圧及び積分電圧を算出したが、図６では、信号処理部４は、応答電圧を微分すると共に、さらに微分することによって、微分電圧及び二階微分電圧を算出する。二階微分電圧も、応答電圧及び微分電圧と同様に、時刻ｔ＝ｊから時刻ｔ＝ｋの範囲の各時刻ｔにおける二階微分の値を要素する行列として表すことができる。
【００３２】
応答電圧、微分電圧、二階微分電圧、及び特徴量（ＬＣ，ＲＣ）は、図６に示すような行列式として表すことができる。図５では、応答電圧と微分電圧とを含む行列を“Ｄ”、特徴量（ＬＣ，ＲＣ）の行列を“Ｘ”、積分電圧の行列を“Ｅ”としたが、図６では、“Ｄ”を微分電圧と二階微分電圧とを含む行列とし、“Ｅ”を応答電圧の行列とする。“Ｄ”、“Ｘ”、“Ｅ”を用いた式は、上記式(1)と同一であり、以下、上記式(2)〜(4)と同様に式(1)を変形することによって、特徴量（ＬＣ，ＲＣ）を導出することができる。
【００３３】
但し、図６の比較例に示すように、二階微分電圧の波形は、応答電圧に含まれるノイズが先鋭化されるため、ノイズ成分を多く含んだものとなっている。二階微分電圧は、行列“Ｄ”の要素であり、行列“Ｄ”は、式(4)においても、使用されているため、ノイズ成分が特徴量（ＬＣ，ＲＣ）の精度に影響する。
【００３４】
図７は、良品と不良品との判別原理を示す説明図であり、ここでは、定量値として距離（distance）を用いている。左側は、応答電圧、微分電圧、二階微分電圧に基づいて特徴量を導出した場合の良品（GOOD）と不良品（NG）との分布を表している。また、右側は、応答電圧、微分電圧、積分電圧に基づいて特徴量を導出した場合の良品（GOOD）と不良品（NG）との分布を表している。これらは、共に発明者らによるシミュレーションの結果を模式的にプロットしたものである。図７に示すように、応答電圧、微分電圧、積分電圧に基づいて特徴量を導出した場合の方が、良品（GOOD）と不良品（NG）とが明確に分離されており、明確な判定が可能であることが判る。
【００３５】
ところで、図８等を参照して上述したように、応答電圧の波形には、初期に歪みが観測されるため、応答電圧検出部３は、コイル３０の良否を判定するためのデータにこの初期の応答電圧を含まないように、データの範囲“Ｔ”を設定している。応答電圧検出部３は、データの範囲“Ｔ”を、少なくとも、応答電圧が初めて振幅中心と交わる第１ゼロクロス点ｔｘ１以降に設定すると好適である。つまり、信号処理部４は、応答電圧が振幅中心と交わる第１ゼロクロス点ｔｘ１以降のデータに基づいて微分電圧及び積分電圧を演算し、特徴量演算部５は、第１ゼロクロス点ｔｘ１以降の応答電圧と微分電圧と積分電圧とに基づいて特徴量を演算すると好適である。
【００３６】
図８に示すように、振動する応答電圧は、正方向又は負方向の１回目のピーク点（第１ピーク点ｔｐ１、本実施形態では第１プラスピーク点ｔｐｐ１）を過ぎた後にはほぼ安定する。従って、この第１ピーク点ｔｐ１を過ぎ、１回目に応答電圧が振幅中心と交わった第１ゼロクロス点ｔｘ１以降のデータを用いてコイル３０の良否が判定されると好適である。
【００３７】
さらに、安定することを考慮すると、応答電圧検出部３は、データの範囲“Ｔ”を、第１ゼロクロス点ｔｘ１の次の正方向又は負方向のピーク点（第２ピーク点ｔｐ２、本実施形態では第１マイナスピーク点ｔｎｐ１）以降に設定すると好適である。この“Ｔ”は、例えば、図８に示す第１期間Ｔ１に設定することができる。この場合、信号処理部４は、第１ゼロクロス点ｔｘ１の次の正側又は負側のピーク点である第２ピーク点ｔｐ２以降のデータに基づいて微分電圧及び積分電圧を演算し、特徴量演算部５は、当該第２ピーク点ｔｐ２以降の応答電圧と微分電圧と積分電圧とに基づいて特徴量を演算する。当然ながら、積分電圧に代えて二階微分電圧を用いる場合も同様である。
【００３８】
また、発明者らによる実験解析によると、さらにデータの範囲“Ｔ”を遅らせることによって、良品と不良品との特徴量の差が広がることが確認された。例えば、図８における第１期間Ｔ１から第２期間Ｔ２にデータの範囲“Ｔ”を変更することで、より特徴量の差が大きくなることが確認された。図９は、第１期間Ｔ１及び第２期間Ｔ２における良品の応答電圧（実線）と不良品の応答電圧（破線）とを示している。図９を参照すると第１期間Ｔ１における両応答電圧の時間差Δｔ（位相差）に比べて、第２期間Ｔ２における両応答電圧の時間差Δｔの方が大きい。当然ながら、微分電圧や積分電圧、又は二階微分電圧の時間差Δｔも大きくなるため、これらを用いて導出される良品と不良品との特徴量（ＬＣ，ＲＣ）の差も大きくなる。
【００３９】
尚、図８及び図９から明らかなように、第１期間Ｔ１に比べて第２期間Ｔ２では、応答電圧の振幅が小さくなっている。従って、電圧の分解能が充分ではない場合、第２期間Ｔ２では、時間差Δｔが大きくなる一方で、電圧の分解能が低くなって精度が低下する可能性がある。このため、例えば応答電圧検出部３を構成するＡ／Ｄコンバータの分解能が低い場合などでは、使用するデータの範囲“Ｔ”を第１期間Ｔ１とした方が好ましい場合もある。また、Ａ／Ｄコンバータの基準電圧が可変であり、ダイナミックレンジが可変な場合には、応答電圧の振幅の減衰に応じて、ダイナミックレンジを変更すると共にデータの範囲“Ｔ”を第２期間Ｔ２に設定してもよい。
【００４０】
以上、説明したように、本実施形態によれば、インパルス電圧を印加して得られる応答電圧と、応答電圧を微分した微分電圧と、応答電圧を積分した積分電圧とに基づいて、より高い判定精度でコイルの良否を診断することができる。
【００４１】
〔実施形態の概要〕
以下、上記において説明したコイルの診断装置（１）の概要について簡単に説明する。
【００４２】
コイルの診断装置（１）は、１つの態様として、
コイル（３０）にインパルス電圧を印加する電圧印加部（２）と、
前記インパルス電圧に対する前記コイル（３０）からの応答電圧を検出する応答電圧検出部（３）と、
前記応答電圧を微分して微分電圧を演算すると共に前記応答電圧を積分して積分電圧を演算する信号処理部（４）と、
前記応答電圧と前記微分電圧と前記積分電圧とに基づいて前記コイル（３０）の電気的特徴を示す判定指標を演算する指標演算部（５）と、
診断対象の前記コイル（３０）である対象コイルの前記判定指標に基づいて前記対象コイルに異常があるか否かを判定する判定部（６）と、を備える。
【００４３】
応答電圧と微分電圧と二階微分電圧とに基づいてコイル（３０）の電気的特徴を示す判定指標を演算して、対象コイルの良否を判定する方法が知られている。しかし、微分の階数が増えることによって周波数の高いノイズ成分もより先鋭化されるため、判定指標の精度が低下し、コイル（３０）の良否判定の精度も低下する可能性がある。本構成では、応答電圧と微分電圧と積分電圧とに基づいて判定指標が演算される。３つの電圧の階数の離間数は、応答電圧と微分電圧と二階微分電圧とを用いる場合も、応答電圧と微分電圧と積分電圧とを用いる場合も、“２”である。つまり、応答電圧と微分電圧と積分電圧とを用いる場合、積分電圧から見て微分電圧は二次導関数に当たる。従って、応答電圧と微分電圧と積分電圧とに基づいて適切に判定指標を演算することができる。この場合には、応答電圧から見た微分は一次導関数で留まり、微分の階数の増加に伴うノイズ成分の先鋭化も抑制されるため、判定指標の精度の低下も抑制できる。その結果、判定指標に基づく対象コイルの良否の判定精度を向上させることができる。つまり、本構成によれば、インパルス電圧を印加して得られる応答電圧に基づいて、より高い判定精度でコイル（３０）の良否を診断することができる。
【００４４】
ここで、前記判定部（６）は、前記対象コイルの前記判定指標と、正常な前記コイル（３０）である基準コイルの前記判定指標との比較に基づいて前記対象コイルの良否を判定すると好適である。
【００４５】
正常なコイル（３０）である基準コイルにインパルス電圧を印加して得られた判定指標を基準値とした相対評価を行うことによって、適切に対象コイルの良否を判定することができる。生産ロットや材料のロットに応じて基準コイルを適宜設定することもできるので、良否判定の精度が安定する。
【００４６】
また、前記信号処理部（４）は、前記応答電圧が振幅中心と交わる第１ゼロクロス点（ｔｘ１）以降のデータに基づいて前記微分電圧及び前記積分電圧を演算し、前記指標演算部（５）は、前記第１ゼロクロス点（ｔｘ１）以降の前記応答電圧と前記微分電圧と前記積分電圧とに基づいて前記判定指標を演算すると好適である。
【００４７】
例えば、電圧印加部（２）は、コンデンサ（２ｃ）に溜めた電荷をスイッチ（２ｄ）を介して一気にコイル（３０）に放電することによって、インパルス電圧を印加する。この際、スイッチ（２ｄ）には大電流が流れるため、スイッチ（２ｄ）は複数のスイッチ素子を並列接続することによって構成される場合がある。複数のスイッチ素子の切換わりには微小な時間差が生じることがあるため、応答電圧の初期は波形が乱れることが多い。また、単一のスイッチ素子でスイッチ（２ｄ）が構成されていた場合でも、チャタリング等の発生によって、応答電圧の初期の波形が乱れることがある。従って、コイル（３０）の良否を判定するためのデータにはこの初期の応答電圧を含まないことが好ましい。振動する応答電圧は、正方向又は負方向の１回目のピーク点（ｔｐ１）を過ぎた後にはほぼ安定する。従って、この１回目のピーク点（ｔｐ１）を過ぎ、１回目に応答電圧が振幅中心と交わった第１ゼロクロス点（ｔｘ１）以降のデータを用いてコイル（３０）の良否が判定されると好適である。
【００４８】
さらに、前記信号処理部（４）は、前記第１ゼロクロス点（ｔｘ１）の次の正側又は負側のピーク点（ｔｐ２）以降のデータに基づいて前記微分電圧及び前記積分電圧を演算し、前記指標演算部（５）は、当該ピーク点（ｔｐ２）以降の前記応答電圧と前記微分電圧と前記積分電圧とに基づいて前記判定指標を演算すると好適である。
【００４９】
上述したように、応答電圧の初期は波形が乱れることが多い。正方向又は負方向の１回目のピーク点（ｔｐ１）及びこれを過ぎた第１ゼロクロス点（ｔｘ１）よりも後の、２回目のピーク点（ｔｐ２）以降のデータを用いると、初期の波形の乱れの影響をほぼ受けることなく、コイル（３０）の良否を判定することができる。
【００５０】
ここで、前記対象コイルの異常は、当該対象コイルを構成する導体（３５）間の絶縁不良を含むと好適である。
【００５１】
対象コイルの異常には、断線、グラウンドへの短絡、コイル（３０）を構成する導体（３５）同士の絶縁不良等がある。断線やグラウンドへの短絡などは、他の試験方法でも比較的明確な検出が可能である。導体（３５）同士の絶縁不良では、導体間の抵抗値が変動するが、その検出は例えば抵抗値の測定では測定誤差との区別が困難である。しかし、印加されたインパルス電圧に対する応答電圧によれば、絶縁不良による抵抗値の変動も検出できる。従って、コイルの診断装置（１）により診断される対象コイルの異常に、コイル（３０）を構成する導体（３５）同士の絶縁不良を含むと好適である。
【符号の説明】
【００５２】
１        ：診断装置（コイルの診断装置）
２        ：電圧印加部
３        ：応答電圧検出部
４        ：信号処理部
５        ：特徴量演算部（指標演算部）
６        ：比較部（判定部）
３０      ：コイル
３５      ：線状導体（導体）
ｔｎｐ１  ：第１マイナスピーク点（第１ゼロクロス点の次の正側又は負側のピーク点）
ｔｘ１    ：第１ゼロクロス点
ｖ（ｔ）  ：応答電圧
ＬＣ      ：特徴量（判定指標）
ＲＣ      ：特徴量（判定指標）
Ｘ        ：特徴量（判定指標）
【図１】
2019045276.tif 000003
【図２】
2019045276.tif 000004
【図３】
2019045276.tif 000005
【図４】
2019045276.tif 000006
【図５】
2019045276.tif 000007
【図６】
2019045276.tif 000008
【図７】
2019045276.tif 000009
【図８】
2019045276.tif 000010
【図９】
2019045276.tif 000011